Podtech/llm-jp-corpus-v4-ja_patent huggingface dataset:
(57)【要約】      （修正有）【課題】太陽熱と雪氷冷熱の組合せにより乾燥空気を生成するようにしたピンチップの乾燥装置を提供する。【解決手段】ピンチップ等を乾燥する装置は、太陽熱を取り込むために屋根と壁をフィルム張りにして天井空気を暖めピンチップ等を収納する乾燥室と、外気を取り込み雪氷塊に接触させ結露を促し乾燥空気を作るピンチップで被覆した雪氷熱交換装置と、乾燥室と雪氷熱交換装置を連通させる通気ダクトと、この通気ダクトの経路内に配した送気ファン装置で、雪氷熱交換装置の空気と乾燥室内天井部の空気を混合し、乾燥室内床面から吹き出させピンチップの乾燥を可能にする。【選択図】図１
0003182291.tif 000002
【実用新案登録請求の範囲】
【請求項１】
太陽熱を取り込むために屋根と壁をフィルム張りにして天井空気を暖めピンチップ等を収納する乾燥室と、
外気を取り込み雪氷塊に接触させ結露を促し低温乾燥空気を作る雪氷熱交換装置と、
乾燥室と雪氷熱交換装置を連通させる通気ダクトと、
この通気ダクトの経路内に配した送気ファン装置で、
雪氷熱交換装置の空気と乾燥室内天井部の空気を混合し、
乾燥室内床面から吹き出させる太陽熱と雪氷冷熱を組み合わせた空気でピンチップ等を乾燥する装置。
【考案の詳細な説明】
【技術分野】
【０００１】  本実用新案は、林地残材などのピンチップ等の乾燥装置に係る、とくに太陽熱と雪氷冷熱を用いる熱源の組合せに関する。
【背景技術】
【０００２】  太陽熱および太陽光を透過するフィルムを屋根と壁に施した乾燥室は、天井部分に暖かい熱溜まりができ乾燥空気となる。【０００３】  雪氷熱交換装置の雪氷塊表面に暖かい外気を接触させると、空気中の水分が雪氷表面で結露し、低温の乾燥空気ができる。
【先行技術文献】
【実用新案文献】
【０００４】  実願２０１２−００２０８７  雪氷乾燥装置と加温装置の組合せ
【実用新案の概要】
【実用新案が解決しようとする課題】
【０００５】  林地残材であるピンチップ等は、水分を多く含み燃焼効率が悪く燃料消費が嵩むため、よく乾燥する必要がある。
【０００６】  夏期まで降積雪の雪氷塊を乾燥用に利用するため、ピンチップ等でこれを被覆し冷熱源の自然消雪を少なくする必要がある。
【課題を解決するための手段】
【０００７】    前記の目的を達成して課題を解決するため、本実用新案に係るピンチップ等を乾燥す  る装置は、太陽熱を取り込むために屋根と壁をフィルム張りにして天井空気を暖めピン  チップ等を収納する乾燥室と、外気を取り込み雪氷塊に接触させ結露を促し低温乾燥空  気を作るピンチップで被覆した雪氷熱交換装置と、乾燥室と雪氷熱交換装置を連通させ  る通気ダクトと、この通気ダクトの経路内に配した送気ファン装置で、雪氷熱交換装置  の空気と乾燥室内天井部の空気を混合し、乾燥室内床面から吹き出させる。
【実用新案の効果】
【０００８】  乾燥したピンチップ等は燃焼効率が良くなり燃料消費量を削減することができる。
【０００９】  自然融雪を遅らせた被覆材のピンチップは次年度に乾燥して燃料とする。
【図面の簡単な説明】
【００１０】
【図１】実施形態に係るピンチップ等の乾燥装置を例示する図である。
【実用新案を実施するための形態】
【００１１】  図１は本実用新案に係るピンチップ等の乾燥装置の一実施形態を示すものである。１０は乾燥室、２０は雪氷熱交換装置、３０は乾燥室１０と雪氷熱交換装置２０とを連絡する通気ダクトであり、この通気ダクト３０の経路内に、送気ファン装置３１と端末に吹き出し口３２を設けてある。
【００１２】  乾燥室１０はフィルム張りの屋根１１とフィルム張りの壁１２の仕様とし、ピンチップ１３を収納する。
【００１３】  乾燥室１０の天井部の空気１４を吸引する送気ファン装置３１を設置する。
【００１４】  雪氷熱交換装置２０は、基盤２１の上に雪氷塊２２を貯留し、ピンチップ被覆材２３で覆う。
【００１５】  基盤２１の上に有孔パイプ２４を乗せ、外気取り入れ口２５から外気を吸引し、雪氷塊と接触、熱交換し乾燥空気２６を作る。
【００１５】  有孔パイプ２４に通気ダクト３０を連結し送気ファン装置３１に接続する。
【００１６】  送気ファン装置３１で乾燥室１０の天井部の空気１４と雪氷熱交換装置２０の乾燥空気  ２６を混合し、乾燥室内の通気ダクト３０の端末吹き出し口３２から空気を吹き出す。
【符号の説明】
【００１４】１０  乾燥室
１１  フィルム張り屋根
１２  フィルム張り壁
１３  ピンチップ
１４  天井部の空気
２０  雪氷熱交換装置
２１  基盤
２２  雪氷塊
２３  ピンチップ被覆材
２４  有孔パイプ
２５  外気取り入れ口
２６  乾燥空気
３０  通気ダクト
３１  送気ファン装置
３２  端末吹き出し口
【図１】
0003182291.tif 000003
(57)【要約】      （修正有）【課題】確実に捺印でき、構造が単純で、かつ管理の容易な捺印台を提供する。【解決手段】ゴムまたは合成樹脂などの弾力性素材で、表面を曲面とし、底面を平らに一体成形した捺印台とすることで、書類に鮮明に捺印でき、部品点数を最小にし、製造コストを抑えられる。又、底面が平らで、弾力性素材となるため滑りにくく机上での安定度も良い。【選択図】図２
0003182296.tif 000002
【実用新案登録請求の範囲】
【請求項１】
ゴムまたは合成樹脂などの弾力性素材で、表面を曲面とし、底面を平らに一体成形した捺印台。
【考案の詳細な説明】
【技術分野】
【０００１】  本考案は、捺印台に関するものである。
【背景技術】
【０００２】  官公庁の窓口などに書類を提出する際には、印鑑の捺印を要する場合が多い。しかし捺印台はゴム板程度で済まされていることが多く、印鑑や朱肉に比べ、捺印台に関わる技術は未開拓の分野であり、解決すべき課題は多い。
【考案の概要】
【考案が解決しようとする課題】
【０００３】  例えば特許第５０６２４７４号においては、捺印朱肉を含めたセットとしての考案であるため部品点数が多く、製造コストが高い。また表面の素材にスポンジを用いるということは、インクの飛散事故の際にスポンジがインクを吸い込んでしまい洗浄が難しいばかりでなく、官公庁など不特定多数の人々が利用する公共施設に備え付けて用いる場合、衛生管理上の問題がある。【０００４】  本考案は、上記問題の解決を図るため、確実に捺印でき、構造が単純で、かつ管理の容易な捺印台の提供を目的とする。
【課題を解決するための手段】
【０００５】  本考案では、ゴムまたは合成樹脂などの弾力性素材で、表面を曲面とし、底面を平らに一体成形することで、上記目的を達成することとした。
【考案の効果】
【０００６】  本考案の捺印台は次のような効果を持つ。第一に、書類に鮮明に捺印するとき、書類の背面に指の腹を当てて捺印する方法があるが、指の腹の代わりに、表面を上に凸の曲面にした形状とし、同様の効果を得る。第二に、一体成形するため部品点数は最小であり、かつ構造が単純なため製造ロットの大小によらずコストを最小限に抑えられる。第三に、ゴムまたは合成樹脂などの弾力性素材で成り立っているのでインクの吸い込みも生じず、衛生管理も容易である。第四に、底面が平らなため、ゴムや合成樹脂などの弾力性素材自体の摩擦係数が大きいことと合わせ、滑りにくく落下事故が少ない。
【図面の簡単な説明】
【０００７】
【図１】本考案の外観図である。
【図２】本考案の断面図である。
【考案を実施するための形態】
【０００８】  図１および図２に示すように、ゴムまたは合成樹脂などの弾力性素材で一体成形した、底面が平らで、表面が上に凸の曲面形状の捺印台ができる。
【実施例】
【０００９】  捺印するときには曲面の上に書類を置き、その上から印鑑を捺す。ゴムまたは合成樹脂などの弾力性素材と曲面形状が、指の腹の代わりとなる。
【図１】
0003182296.tif 000003
【図２】
0003182296.tif 000004
(57)【要約】      （修正有）【課題】肘枕の体勢を楽に、かつ長時間保てる様にしたテレビ視聴用の枕を提供する。【解決手段】上記の枕は、「脇息」に近いかたちとし、枕としての使いやすさと快適性を考慮した高さや幅を確保する。材料は、木材、プラスチック、金属などの堅い素材でアーチ型の骨組み（線状・面状含む）をつくる。さらに、コの字型の整形物、あるいは骨組み全体をクッション等の柔らかい素材で包み込む。もしくは、頭部を乗せる上辺にクッションあるいは小さな座布団状の柔らかいパーツを貼りつける。使用に当たっては、コの字型の開口部に腕を通して、腕と肩にかかる負担を解消する。【選択図】図１
0003182976.tif 000002
【実用新案登録請求の範囲】
【請求項１】
テレビを見るため等に横向き寝になった際、その姿勢を長時間楽に保つために、下側になる腕を正面からくぐらせ、あるいは側面から収納させられる開口部及び空間を設けるため、コの字型に成形することを特性とする枕。
【考案の詳細な説明】
【技術分野】
【０００１】
本案は日々の暮らしの休息時間におけるテレビ視聴や家族団欒などの際に、より楽で快適な状態をつくる出すためのアイテムの製造・発明案である。
【背景技術】
【０００２】
従来あるテレビ枕はいずれも、上半身をもたせかける部分に傾斜を設けただけ、あるいは一部を高く盛り上げただけの単純な構造のものとなっている。これは、テレビを見やすい高さに顔（視線）を保つと同時に、下側になる腕で身体を支えるという状態を解消することを目指していると考えられる。しかし、この状態では結局、下側になっている腕や肩に上半身の体重がかかり、そのストレスによる疲労や肩こりなどは解消できていない。すなわち、姿勢の楽さは実現されていないのである。
【先行技術文献】
【特許文献】
【０００３】
特願  ２００５−３４３５８４
【考案の概要】
【０００４】
当案はいわゆる肘枕でテレビを見る際、その姿勢を楽に保つための枕の形状案である。「コ」の字型とし、その開口部に、肘枕の際に下側になる腕を入れ、頭を枕で支えることで、腕や肩の負担を解消することを目的としている。
【考案が解決しようとする課題】
【０００５】
肘枕でテレビを見ていると下側になる腕と型には大きな荷重がかかる。この体勢を長時間続ければ、腕がしびれるだけでなく、肩にかかる負担を原因とした肩こりを起こすことにもなる。これらの問題点を解消しつつも視聴に快適な視線の高さを維持すること。
【課題を解決するための手段】
【０００６】
本案は、全体を「コ」の字型に成形することを基本とする。かつ、全体成形の骨組みを木、硬質のプラスチック等でつくることで、横になった時に枕にかかる荷重に耐えて「コ」の字型の形状を確実に保ち続ける頑丈さを持つ枕として完成させる。
【考案の効果】
【０００７】
本案に基づく製品を使用すれば、横になってテレビを見る際、長時間同じ姿勢を続けても下になる側の腕や肩の疲労を大きく軽減させられる。また、身体を支えるというストレスから起こる肩コリ等を軽減させることができる。
【０００８】
先行技術文献にある形状は肩から頭部を斜めに保たせる形状となっているのに対し、本案は枕部だけの形状のコの字となっている。これによって、全体をコンパクトに整形でき、移動や向き変えなどの使い勝手も良い枕とすることができる。
【０００９】
先行技術文献を含め、全体の基本形を三角形にしたものは時間とともに体のずり落ちが起こる場合があるが、当案はそれも解消することができる。
【図面の簡単な説明】
【００１０】
【図１】図１は本案に基づく製品の形のバリエーションの１であり、その完成予想図である。表面全体をクッション素材で覆った場合の状態を表現している。
【図２】図２は本案に基づく製品の形のバリエーションの２のおおよその外形である。完成形を表したものではない。
【図３】図面３は図面１のものの基本的な使用状態である。図中の点線は腕が空間部を通っていることを表現している。
【考案を実施するための最良の形態】
【００１１】
本案に基づく製品の形状としては「脇息」に近いかたちとなるが、枕としての使いやすさと快適性を考慮した高さや幅を確保する。
【００１２】
木材、プラスチック、金属などの堅い素材でアーチ型の骨組み(線状・面状含む)をつくる。
【００１３】
コの字型の整形物、あるいは骨組み全体をクッション等の柔らかい素材で包み込む。もしくは、頭部を乗せる上辺にクッションあるいは小さな座布団状の柔らかいパーツを貼りつける。柔らかい素材の使用は使い心地を考慮した結果である。
【実施例】
【００１４】
本案を図面に基づいて説明すると、本案の基本形は図面１及び図面２となる。
【００１５】
図面１は下部のトンネル状開口部に腕を通し、上辺部に頭を置くものとする。
【００１６】
図面２は開口部を、側面（床から垂直面）にして使用することを基本とする。その際、開口部は前後どちらでも構わない。上辺になる辺に頭を置き、腕は上辺下の空間部に、前後いずれかの開口部より腕を差し入れて使用する。
【００１７】
図面１は本案に基づく製品を、完成予想図として、表面全体をクッション素材で覆った場合の状態を表現したものである。
【産業上の利用可能性】
【００１８】
家庭における寝具、あるいはリビングのくつろぎ用品としての利用の他、旅館等宿泊施設おいて、横になった際に使いやすいくつろぎ型枕としての利用も考えられる。
【００１９】
日本国内だけでなく、カーペットや絨毯上に直接横になることでくつろぐ習慣を持つ国への輸出品として販売することも考えられる。
【図１】
0003182976.tif 000003
【図２】
0003182976.tif 000004
【図３】
0003182976.tif 000005
(57)【要約】【課題】  内部に収容物を固定することが可能で、メッセージや贈り主の氏名、連絡先等を記載した名刺大のカードを固定することが可能で、蓋を閉じた状態でも外部から収容物を見ることが可能で、ステープラー等の工具、器具を用いることなく簡単に組み立てることが可能な贈答用化粧箱を提供する。【解決手段】  内部に収容物を固定できるように穴開き内底板２を設け、名刺大カード４を差込み固定できるように内前板３に切欠き３ａを設け、蓋を閉じた状態でも外部から収容物を見ることができるように正面板１に透視窓１ａを設け、ステープラー等の工具、器具を用いることなく簡単に組み立てることができるよう一枚の紙からなるよう設計した。【選択図】図１
0003182913.tif 000002
【実用新案登録請求の範囲】
【請求項１】
一枚の紙からなるように設計された、透視窓を有した正面板を備え、内部に穴開き内底板と、切欠きを設けた内前板を備えた開閉式の贈答用化粧箱。
【考案の詳細な説明】
【技術分野】
【０００１】  本考案は、内部に小型の鉢花等を収容し、かつメッセージなどを記載した名刺大のカードを差込み固定することが可能で、外部から収容物を見ることが可能で、簡単に組み立てることが可能な開閉式の贈答用化粧箱に関するものである。
【背景技術】
【０００２】  これまで、プリザーブドフラワーや造花を収容する一輪花用化粧箱（特許文献１参照）や、ハンカチ等の贈答小物を収容し、かつ贈答側のメッセージを記載することのできるブック型贈答小物収容箱（特許文献２参照）等が提示されている。しかし、小型の鉢花等を贈答する際に、これを収容し、かつ贈答側のメッセージを簡単に伝えられる機能を備えた贈答用化粧箱がなかった。
【先行技術文献】
【特許文献】
【０００３】
【特許文献１】  実登３１３１５２２
【特許文献２】  実開平６−３１２５
【考案の概要】
【考案が解決しようとする課題】
【０００４】  内部に収容物を固定することが可能で、メッセージや贈り主の氏名、連絡先等を記載した名刺大のカードを固定することが可能で、蓋を閉じた状態でも外部から収容物を見ることが可能で、ステープラー等の工具、器具を用いることなく簡単に組み立てることが可能な贈答用化粧箱を提供することを目的とする。
【課題を解決するための手段】
【０００５】  本考案は、課題を解決するために次の手段をとる。収容物を固定できるように内部に穴開き内底板２を設け、名刺大カード４を差込み固定できるように内前板３に切欠き３ａを設け、蓋を閉じた状態でも外部から内部に収容した小型の鉢花等の収容物を見ることができるように正面板１に透視窓１ａを設け、ステープラー等の工具、器具を用いることなく簡単に組み立てることができるよう図３のように一枚の紙からなるよう設計した。
【考案の効果】
【０００６】  穴開き内底板２により、小型の鉢物等の収容物を飾り入れ、固定することができる。贈答側の伝えたいメッセージや贈り主の氏名、連絡先等を記載した名刺大カード４を内前板３の切欠き３ａに固定することで、それらを被贈答側に伝えることができる。正面板１を閉じた状態でも透視窓１ａを通して外部から内部に収容した収容物を見ることができる。贈答用化粧箱の組み立てに際して、図３のように一枚の紙からなるよう設計することで、各折目線に沿って折り込んでいくだけで、ステープラー等の工具、器具を用いることなく簡単に組み立てることができる。
【図面の簡単な説明】
【０００７】
【図１】  本考案の蓋を開けた状態の斜視図である。
【図２】  本考案の蓋を閉じた状態の斜視図である。
【図３】  本考案の展開図である。
【考案を実施するための形態】
【０００８】  図１のように、内前板３に設けた切欠き３ａに贈答側のメッセージや贈り主の氏名、連絡先等を記載した名刺大カード４を差込んで固定する。小型の鉢花を収容する場合は、穴あき内底板２及び内前板３により仕切られた中仕切り部に鉢花の鉢部を収容し、植物体を固定するように飾り入れる。
【実施例】
【０００９】  結婚式の引き出物や、小売店におけるお土産品、贈答品、企業における販売促進用配布物等として使用する。
【符号の説明】
【００１０】１      正面板
１ａ    透視窓
２      穴開き内底板
３      内前板
３ａ    切欠き
４      名刺大カード
【図１】
0003182913.tif 000003
【図２】
0003182913.tif 000004
【図３】
0003182913.tif 000005
(57)【要約】      （修正有）【課題】メジャーを用いて第三者によって腹囲を測定するとき、測定者と被測定者の体が触れることを少なくし、双方ともに違和感を感ずることのないようにするメジャー保持具を提供する。【解決手段】弾力性のある細長い帯状で少なくともその両端に測定テープ３を着脱できる着脱用爪１を設け、かつ本考案のメジャー保持具が巻取りドラム２内に入らないようにするために巻取りドラム２の測定テープ３の出入り口に接触する部分を出入り口より大きくする。腹囲を測定するとき本考案のメジャー保持具を使用すると、測定者の手を被測定者の背中側に回す距離が少なくて済むため、測定者の体が被測定者の体に触れることが少なくなり、測定時の双方の違和感をなくすことができる。【選択図】図２
0003182917.tif 000002
【実用新案登録請求の範囲】
【請求項１】
腹囲を測定するとき使用するメジャー保持具であって、弾力性のある細長い帯状で少なくともその両端にメジャーの測定テープを着脱できる部分を設けたことを特徴とするメジャー保持具
【考案の詳細な説明】
【技術分野】
【０００１】腹囲測定時に使用するメジャーにおいて、巻取りドラムから引き出した測定テープを所要の長さほぼ水平に保つことができるとともに、測定テープを巻取りドラム内に巻き込むとき、所要の長さの測定テープを巻取りドラムの外に自動的に残すことができるようにするための細長い帯状のメジャー保持具に関するものである。
【背景技術】
【０００２】従来は、第三者によって腹囲を測定するとき、測定者は被測定者の左右から両手を背中側に回して巻取りドラムから測定テープを引き出していたため、測定者と被測定者の体が触れることが多く、双方ともに何がしかの違和感を感じることが多かったが、このことを解決する手段はなかった。
【先行技術文献】
【考案の概要】
【考案が解決しようとする課題】
【０００３】第三者によって腹囲を測定するとき、測定者と被測定者の体が触れることを少なくし、双方ともに違和感を感ずることのないようにする。
【課題を解決するための手段】
【０００４】課題を解決するための手段の例を次に示す。【０００５】弾力性のある細長い帯状で少なくともその両端に測定テープ３を着脱できる着脱用爪１を設け、かつ本考案のメジャー保持具が巻取りドラム２内に入らないようにするために巻取りドラム２の測定テープ３の出入り口に接触する部分を出入り口より大きくする。
【考案の効果】
【０００６】腹囲を測定するとき本考案のメジャー保持具を使用すると、測定者の手を被測定者の背中側に回す距離が少なくて済むため、測定者の体が被測定者の体に触れることが少なくなり、測定時の双方の違和感をなくすことができる。【０００７】集団検診のときのように次々多くの人の腹囲を測定するとき、測定終了のつど測定テープが所要の長さドラムの外に残っているので、測定間隔時間を短縮できる。
【図面の簡単な説明】
【０００８】
【図１】本考案のメジャー保持具の平面図である。
【図２】本考案のメジャー保持具を測定テープ３に装着したときの平面図である。
【図３】本考案のメジャー保持具の着脱用爪１の部分の斜視図である。
【図４】本考案のメジャー保持具の着脱用爪１の部分の断面図である。
【考案を実施するための最良の形態】
【０００９】本考案の着脱用爪１の部分は、マジックテープ（商標）や永久磁石などを用いて測定テープを着脱できるようにしてもよい。【００１０】本考案の細長い帯状の部分は薄い板バネ状にし、３０センチ前後あればよい。
【産業上の利用可能性】
【００１１】低コストで量産し易い。
【符号の説明】
【００１２】１  着脱用爪
２  巻取りドラム
３  測定テープ
４  ストッパー
【図１】
0003182917.tif 000003
【図２】
0003182917.tif 000004
【図３】
0003182917.tif 000005
【図４】
0003182917.tif 000006
(57)【要約】      （修正有）【課題】揚げ物、炊き物、煮物料理を効率よく、且つ簡単に行うことが可能であり、しかも長期間繰り返して使用することができる調理具を提供する。【解決手段】陶器素材表面に、希土類金属を含む鉱石からなる釉薬層が形成され、略ドーナツ形状に成形されると共に、両端面に複数の凹凸部３が形成される。また、前記複数の凹凸部３は、平面視複数の波状に形成される。さらに、前記略ドーナツ形状の一端側に、前記複数の凹凸部３より突出した複数の突出部が形成される。【選択図】図２
0003182912.tif 000002
【実用新案登録請求の範囲】
【請求項１】
陶器素材表面に、希土類金属を含む鉱石からなる釉薬層が形成され、略ドーナツ形状に成形されると共に、両端面に複数の凹凸部が形成されたことを特徴とするセラミックス製調理補助具。
【請求項２】
前記複数の凹凸部は、平面視複数の波状に形成されたことを特徴とする請求項１に記載のセラミックス製調理補助具。
【請求項３】
前記略ドーナツ形状の一端側に、前記複数の凹凸部より突出した複数の突出部が形成されたことを特徴とする請求項１及び２に記載のセラミックス製調理補助具。
【考案の詳細な説明】
【技術分野】
【０００１】  本考案は、フライヤーや鍋等の調理用具内に浸漬して使用する遠赤外線セラミックス製調理補助具に関するものである。
【背景技術】
【０００２】  天ぷらやフライなどの揚げ物用の油は使用時間と共に酸化が進み、食材の仕上りに悪影響を与えるという問題がある。このような問題に対処する工夫として遠赤外線セラミックスにより熱効率を高めることで適宜温度よりも１０℃〜２０℃程度の低温で調理できることや、遠赤外線セラミックスのマイナスイオン効果や遠赤外線効果により油の酸化が防止できることが知られている。遠赤外線セラミックスの効果を更に改善する発明が提案されており、例えば、特開２００５−３２５０１０号公報は、遠赤外線放射機能を有する浸漬用セラミックス本体に円状の穴を複数設け、表面積を大きくすることで遠赤外線の効果を高めるものである。しかしながらセラミックス本体を容器の底に浸漬して使用することから、セラミックス本体と容器の底が直接接触することになるため十分な効果が得られているとは言えない。
【先行技術文献】
【特許文献】
【０００３】
【特許文献１】特開２００５−３２５０１０号公報
【考案の概要】
【考案が解決しようとする課題】
【０００４】  本考案は、上記の問題点を鑑み、遠赤外線セラミックス製調理補助具の表面積を大きくするとともに、容器の底とセラミックスとの間に空間を設けることで油に対流を生じさせ、調理の出来上がりを好ましくするとともに調理時間の短縮を可能とし、油の劣化も防止できる遠赤外線セラミックス製調理補助具を提供する事を目的とする。
【課題を解決するための手段】
【０００５】  以上の課題を解決するために、陶器素材表面に希土類金属を含む鉱石からなる釉薬層が形成されたドーナツ形状の遠赤外線セラミックスの両端面に複数の凹凸部を形成する構造とし、セラミックスの一端側に凹凸部より突出した複数の突出部を設けた遠赤外線セラミックス製調理補助具とした。
【考案の効果】
【０００６】  本考案は、陶器素材表面に希土類金属を含む鉱石からなる釉薬層が形成されたドーナツ形状の遠赤外線セラミックスの両端面に複数の凹凸部を形成することで油との接触面積を大きくすることができる。【０００７】  又、セラミックスの一端側に凹凸部より突出した複数の突出部を設けて、容器の底とセラミックスとの間に空間を作り、循環口を介した油の対流を生じさせることで、セラミックスと油との接触効率を高めるとともに、対流によってセラミックス表面への天カスの堆積も軽減できる。【０００８】  又、前記の構造とすることで、効率的な遠赤外線効果の利用が可能となり、好ましい調理の仕上がりと時間短縮による経済的な効果が得られ、油の酸化防止も期待できる。
【図面の簡単な説明】
【０００９】
【図１】本考案の遠赤外線セラミックス製調理補助具の平面図である。
【図２】図１の側面図である。
【考案を実施するための形態】
【００１０】  以下にこの発明の一実施の形態を説明する。
【実施例１】
【００１１】  図１は、本考案の遠赤外線セラミックス製調理補助具の一実施例を示す平面図である。陶器素材表面に希土類金属を含む鉱石からなる釉薬層が形成されたセラミックスの放射体１の中央部に貫通した循環口２を設け、放射体１の両端面に波状の凹凸部３を設けるとともに他方面に凹凸部３よりも突出した高台４を設けた構造とした。【００１２】  図２は、図１の側面図である。放射体１の両端面に波状の凹凸部３を設けることで放射体１の表面積が大きくなるとともに高台４を容器の底に接触するように浸漬することで容器の底と放射体１の間に空間が生じる構造とした。【００１３】  なお、本考案は前記実施例に限定されるものではなく、具体的な各部の形状は適宜変更可能である。
【符号の説明】
【００１６】１  放射本体
２  循環口
３  凹凸部
４  高台
【図１】
0003182912.tif 000003
【図２】
0003182912.tif 000004
(57)【要約】      （修正有）【課題】硬式野球風ボールであって狭い場所で使用でき、より安全性が高い柔らかいゲーム用硬式野球ボールを提供する。【解決手段】色を付けた外皮と色の付いていない他の外皮の２枚の外皮を糸によって縫いつけ、この糸を縫いつけ終わる前に、ポリウレタン入り繊維ニット生地裁断くずを所定量詰め込んだ後、糸を最後まで縫いつけて成る。【選択図】図１
0003182919.tif 000002
【実用新案登録請求の範囲】
【請求項１】
2枚の外皮を糸によって縫いつけ、糸を縫い付け終わる前にポリウレタン入り繊維ニット裁断くずを所定量詰め込んだ後、糸を縫い付け終えることを特徴とするゲーム用硬式野球ボール。
【請求項２】
2枚の外皮の一方の表面に着色することを特徴とする請求項１記載のゲーム用硬式野球ボール。
【考案の詳細な説明】
【技術分野】
【０００１】
本考案は小学性、中学生、高校生、大学生、社会人、プロ野球の公式試合用ボールに使
用されている硬い硬式野球ボールと同じ大きさのゲーム用硬式野球ボールに関する。
【背景技術】
【０００２】
特許文献１には人に当たった際の安全性を高め、かつ硬式野球ボールと同等及びそれ以上の飛距離が得られると開示されている。
特許文献２には硬式野球ボールと同様の衝突後の軌跡と軟式野球ボールと同等の衝撃力を得る事ができると開示されている。
本考案は初心者や小学生のように子供達にも安全で、硬式野球風であるが飛ぶ距離は硬式野球ボールの３分の１程度で体育館、狭い場所でも使用できるゲーム用硬式野球ボールである。
【先行技術文献】
【特許文献】
【０００３】
【特許文献１】特開２０１２−０３４７７３号公報
【特許文献２】特開２０１２−２００２７０号公報
【考案の概要】
【考案が解決しようとする課題】
【０００４】
上記の通り、特許文献１の野球ボールは硬式野球ボールと同等及びそれ以上の飛距が得られる様に発明されているし、特許文献２は硬式野球ボールと同様の衝突後の軌跡と軟式野球ボールと同様の衝突力を得る様に発明されている、そのために野球場は大きくなり狭い場所でもとはいかないし、子供達には危険である。
【０００５】
本明細書で開示する技術は、上記の課題を解決するために考案されたものである。本明細書では、硬式野球風ボールで狭い場所で使用ができて、より安全性が高い柔らかいゲーム用硬式野球ボールを提供する。
【課題を解決するための手段】
【０００６】
２本明細書が開示する安全性が高い柔らかい硬式野球風ボールは硬式野球ボールに使用されている外皮（本革）を使用する、その外皮は新しいものだけでなく使い古しの中古硬式野球ボールを解体して外皮のみにしたもので使用可能とした。その外皮と外皮の内部は繊維製品を製造する場合にでる、ポリウレタン入り繊維ニット生地の裁断くずを詰め込んで球の形状としている。また見た目は硬い硬式ボールと変わらないために柔らかいゲーム用硬式野球ボールは外皮の２枚の内１枚に色を付けて２色として区別する。
【０００７】
上記の、柔らかいゲーム用硬式野球ボールは柔らかいためにバットで打撃をされても硬式野球ボールのように強い打球となり難くなる。その結果、子供達に危険が少なくなり、捕球に失敗して体に当たっても体を痛めることもなく、安心して野球を楽しむことができる。
【０００８】
一方、今までの硬式野球ボールはよく飛び、ボールが打撃されたとき衝撃が心地よく手に伝わる、従って大きな場所が必要となる。
【考案の効果】
【０００９】
本考案の柔らかいゲーム用硬式野球ボールは従来の硬式野球ボールの    １／３の飛距離のため練習場所は狭くてすむ、また、ボールが当った場合の衝撃も同様に１／３程度の為安全である。
【００１０】
本考案のゲーム用硬式野球ボールはボールを縫う糸以外、全ての材料がリサイクルの省資源型であり、硬式野球ボールのコストを抑えることができるという優れた効果を有する。
【図面の簡単な説明】
【００１１】
【図１】本考案の柔らかいゲーム用硬式野球ボールの構成を示す図である。
【図２】従来の硬式野球ボールを分解した図
【図３】外皮の２枚内１枚に色つけした図
【図４】本考案の柔らかいゲーム用硬式野球ボールの組み立て図
【図５】本考案の柔らかいゲーム用硬式野球ボールの完成図
【考案を実施するための形態】
【実施例】
【００１２】
本実施例に係る柔らかいゲーム用硬式野球ボールについて図面を参照しながら説明する。図１に示すように本考案の柔らかいゲーム用硬式野球ボールは外皮１とポリウレタン入り繊維ニット生地裁断くず２の構成で出来ている。
【００１３】
図２は、使用済みの硬式野球ボール３を示し、外皮４と内芯５とで構成されている。図3は、前記外皮４のうち1枚の外皮4の表面６に色を付けたものである。
【００１４】
図４は本考案の構成を示し、色を付けた外皮４の表面６と色の付いてない他の外皮４を糸７によって縫いつけている。糸７を縫い付け終わるまえにポリウレタン入り繊維ニット生地裁断くず２を７０グラムから８０グラムを詰め込んだ後、糸７を最後まで縫い付ける。
【００１５】
上記の通り、本実施例では見た目硬式野球ボールと同じであるが柔らかいボールとなっている。従来の硬式野球ボールのように硬い内芯５を内包していない。そのため、危険性が少なく、安全である。
【００１６】
上記の通り、本考案では大人だけでなく子供達にも安全で扱いやすいプロ野球と同じに見えるボールでなお且つ狭い場所で野球の練習、試合ができる。
【符号の説明】
【００１７】
１  本考案の外皮
２  ポリウレタン入り繊維ニット生地裁断くず
３  硬式野球ボール
４  外皮
５  内芯
６  色つけした外皮
７  糸
【図１】
0003182919.tif 000003
【図２】
0003182919.tif 000004
【図３】
0003182919.tif 000005
【図４】
0003182919.tif 000006
【図５】
0003182919.tif 000007
(57)【要約】      （修正有）【課題】ストローを、紙パックの挿入穴から深く差し込み、この状態のストローを紙パックに接着して固定し、更に、ストローには、栓となる機能を持たせて紙パックを封印した紙パックを提供する。【解決手段】ストローと紙パックを一体化させるため、紙パック１の上部８に、挿入穴４を設けて、ストロー２の先を紙パック１の内底に至るまで深く差し込み、接着剤により紙パック１とストロー２を固定する。次に、紙パックの外に顔を出しているストロー２を、折り目５から強制的に折り畳む。【選択図】図２
0003182915.tif 000002
【実用新案登録請求の範囲】
【請求項１】
牛乳やジュース等の飲料に用いられる紙パックの、ストローの挿入穴から，ストローの先を紙パックの内底に到達するまで深く差し込み、挿入穴に接着剤を用いてストローと紙パックを一体化した前記紙パックにおいて、ストローの吸い口の部分を折り畳み、折り目の部分を圧迫して、栓となる機能を創出した事を特徴とする紙パック。
【請求項２】
吸い口の部分を強制的に折り畳まれたストローの折り目が、元の形に戻ろうとする反発力を押さえ込むために、折り畳まれたストローの吸い口の部分とストローの折り目を、Ｕ字型の袋をかぶせて、前記ストローの折り目の部分が栓となる機能を持続させた事を特徴とする請求項１記載の紙パック。
【考案の詳細な説明】
【産業上の利用分野】
【０００１】  紙パック入りの牛乳やジュースを飲む際に、紙パックに貼り付けて用意されているストローを利用します、しかし、ストローを紙パックの挿入穴に上手に差し込む事が出来なかったり、力が入りすぎて飲料が飛散して衣服を汚してしまう事があります、本考案はこの様な不便を解消するために、ストローを紙パックの内部に深く差し込んで、挿入穴とストローを接着して固定することにより、ストローと紙パックを一体化させます、更に、前記ストローには栓となりえる機能を創出することにより、飲用者が前述の不便をすることなく安心して飲用する事のできる、紙パックを提供しようとするものである。
【従来の方法】
【０００２】  従来では、飲料に使用されている紙パックには、小さなビニール袋に入れられたストローが用意され、紙パックの外側に貼り付けられています、飲用者は、ストローを包むビニール袋を紙パックより剥がし、袋からストローを取り出し、さらに、二重構造のストローを引き伸ばして、紙パックに設けられている、ストローの挿入穴に差し込んで飲用していました、これらの作業は厄介で、時にはストローの先を上手に差し込む事ができず、力が入り過ぎ、飲料が飛び出して手や衣服を汚してしまう事がありました。
【考案が解決しようとする課題】
【０００３】  考案が解決しようとする課題を整理すると次の３項目にまとめることができる
【０００４】  ▲１▼  紙パックの挿入穴にストローを差し込んで、紙パックとストローを一体化するときに、わずかな隙間が生じることは十分に考えられます、飲料を封印した紙パックは空気の侵入により品痛みを発生するような事が絶対にあってはなりません。
【０００５】  ▲２▼  紙パックと一体化したストローも又、吸い口から空気が流入する事を防がねばならず、ストローには、飲料や空気の流れを遮断する、栓となる機能が必要です、飲用者が紙パックを開封するまで、ストローは密栓の状態でなければならないのです。
【０００６】  ▲３▼  ストローの吸い口は飲用者が口にくわえて吸飲するところです、衛生的な配慮がなされなければなりません。
【課題を解決するための手段】
【０００７】  図１で示すように、紙パック（１）とストロー（２）を一体化させるために、紙パック（１）の上部（８）に設けた挿入穴（４）に、接着剤を用いてストロー（２）と紙パック（１）を密着し固定した、次にストロー（２）の内部を通って流入する空気を遮断するために、ストロー（２）の吸い口（６）に近い位置に、折り目（５）を設け、図２で示すように折り目（５）からストローを折り畳みます、この時にストローの折り目（５）は、強く圧迫されて栓の機能を創出します、ストロー（２）の中を通過して流入する空気は完璧に阻止されます、しかし、強制的に折り畳まれたストロー（２）は、元の形に戻ろうとして反発しますので、紙パック（１）の外にはみ出しているストロー部分、つまり、折り畳まれた吸い口（６）と折り目（５）を，図３で示すようにＵ字型の袋（７）を被せ反発力を封じ込めたのです、更に、図４で示すようにＵ字型の袋（７）を被せられた前記ストローを、ジャバラ（３）を利用して横に倒して、紙パック（１）の上部（８）に貼り付けました、この様にしたことで、前記ストローの吸い口（６）と折り目（５）から、Ｕ字型の袋（７）が簡単に外れ落ることはないのです。
【考案を実施するための形態】
【０００８】  紙パック（１）に詰めた飲料を飲む時は、図４に示す紙パックの上部（８）に貼り付けられている、Ｕ字型の袋（７）を指で剥がし、引抜くことで包み込んでいるストロー（２）の吸い口（６）と折り目（５）を解放します、この瞬間に紙パックの栓が開放され飲用者は、ストローの吸い口（６）をくわえて、簡単に飲料を吸飲する事ができます。
【考案の効果】
【０００９】  本考案は上述の通り構成されているので次ぎに記載する効果を奏する。
【００１０】  ▲１▼飲用者は紙パック（１）の上部（８）に貼り付けられている、Ｕ字型の袋（７）を指でつまみ紙パックより剥がし、引抜くことで包み込まれているストロー（２）の折り目（５）と、吸い口（６）を解放すると共に、紙パック（１）を開封する事となります、ストロー（２）の折り目（５）は、ゆっくりと元に戻ろうとしますので、飲用者はストローの吸い口（６）をくわえ簡単に飲料を飲むことができます。
【００１１】  ▲２▼ストロー（２）の吸い口（６）の部分は、Ｕ字型の袋（７）により、包み込まれて保護されるので衛生的であり、飲用者は安心して飲料を飲む事が出来ます。
【００１２】
【図面の簡単な説明】
【００１３】
【図１】  紙パックの斜視図
【図２】  紙パックの斜視図
【図３】  紙パックの正面図
【図４】  紙パックの正面図
【符号の説明】    １    紙パック
２    ストロー
３    ジャバラ
４    挿入穴
５    折り目
６    吸い口
７    Ｕ字型の袋
８    上部
【図１】
0003182915.tif 000003
【図２】
0003182915.tif 000004
【図３】
0003182915.tif 000005
【図４】
0003182915.tif 000006
(57)【要約】      （修正有）【課題】限られた栽培施設の空間を最大限に活用し、かつ栽培作物に効率良く効果的な潅水をするための、底面灌水用の水槽と散水装置を備えた縦型回転栽培棚を提供する。【解決手段】立方型に成形したフレーム１の両側面に復数個の歯車６を取付け、突起の付いたチェーン３をかける。このチェーンの突起に両側にフックが付き、かつ棚２の底板が網状や穴が開いた棚を懸架し、棚が常に水平な状態を保ったまま任意の高さに現われる構造を持つ栽培棚に、棚の動きを妨げず、かつ両側面のフレームの内側に収納できる水槽８を設け、当該水槽に水などの液体を溜め、最下部へ移動した棚板が液体に水没するようにする。【選択図】図２
0003182906.tif 000002
【実用新案登録請求の範囲】
【請求項１】
立方型に成形したフレームの両側面に復数個の歯車を取付け、突起の付いたチェーンをかける、このチェーンの突起に両側にフックが付き、かつ棚の底板が網状や穴が開いた棚を懸架し、棚が常に水平な状態を保ったまま任意の高さに現われる構造を持つ栽培棚に、棚の動きを妨げず、かつ両側面のフレームの内側に収納できる水槽を設け、当該水槽に水などの液体を溜め、最下部へ移動した棚板が液体に水没するようにした構造の栽培棚。
【請求項２】
上水道や圧送装置、給水槽などの給水源から、請求項１の栽培棚のフレームを利用して配管したり、請求項１の栽培棚に隣接させて配管し、当該配管に任意の数の散水口を設けて、栽培作物が載った棚を回転させながら、任意の位置から水などの液体を散布することで、請求項１の栽培棚で栽培する作物に、均一かつまんべんなく潅水することができる散水装置を備えた栽培棚。
【考案の詳細な説明】
【技術分野】
【０００１】本考案は、限られた栽培施設の空間を最大限に活用し、かつ栽培作物に効率良く効果的な潅水をするための、底面灌水用の水槽と散水装置を備えた縦型回転栽培棚に関する。
【背景技術】
【０００２】従来、多段の栽培棚を利用して行う作物の栽培において、棚に作物を載せたまま潅水する際に、噴霧機や給水源にホースを繋いだ散水器具によって、作業員が直接作物に散布することが行われて来た。
前述の潅水方法では、栽培する作物の数量が多くなるのに比例して、潅水に係る人件費などが増加し、生産コストの削減ができなかった。
【考案の概要】
【考案が解決しようとする課題】
【０００３】施設栽培において、栽培施設の冷暖房費などのコストを考慮すると、より多くの作物を栽培することが必要であり、多段の栽培棚を用いることは非常に有効である。
しかし、多段の棚は潅水などの作物の栽培管理の際に、人が脚立などの作業台を用いて行わなければならないなど、手間と時間がかかっていた。【０００４】また、多段の棚を用いた作物の栽培における潅水作業で、棚の手前側と奥側や、上段の棚と下段の棚とで潅水むらができるなどの問題があった。
【課題を解決するための手段】
【０００５】前述の課題を解決するために、請求項１に記載の栽培棚は、立方型に成形したフレームの両側面に復数個の歯車を取付け、栽培する作物の大きさに準じた間隔で突起を付けたチェーンをかける。このチェーンの突起に、両側にフックが付いた棚を懸架すると、棚が常に水平な状態を保ったまま任意の高さに現われる構造を特徴とする。【０００６】また、請求項１に記載の栽培棚は、棚の底板が網状や穴が開いた状態であることが特徴で、栽培棚の下側に両側面のフレームの内側に収納できる水槽が設けられ、当該水槽に水などの液体を溜め、最下部へ移動した棚が液体に水没するようにした構造を特徴とする。【０００７】請求項２に記載の散水装置は、請求項１に記載の栽培棚のフレームに、任意の位置に散水管を支持する為の脚や腕などを取付け、水道用鋼管や塩化ビニル管、ホースなどに任意の数の穴を開けたり散水口を取付けた散水管を配置する。
この散水管へ、上水道や圧送装置、給水槽などの給水源から配管し、配管の途中に自動や手動の弁を設け、必要なときに必要なだけ散水することができることを特徴とする。【０００８】また、請求項２に記載の散水装置は、請求項１に記載の栽培棚のフレームから支持する以外に、請求項１に記載の栽培棚に隣接するように、支柱などの散水管を支持する構造を設けたり、栽培施設内に吊り下げてもよい。【０００９】さらに、請求項２に記載の散水装置に、センサーやタイマーなどを取付け、自動で散水をコントロールすることもできる。
【考案の効果】
【００１０】本考案の栽培棚により、栽培施設の空間を最大限に利用して作物を栽培することが可能になり、これまで数棟の栽培施設で栽培していた作物を１棟の栽培施設に集約して栽培することができるようになるため、冷暖房費などのコストを低減することができる。
栽培管理作業も、棚が任意の高さに現われるので、作業員が脚立などの作業台を使う必要が無く、作業効率を向上させることができる。【００１１】本考案の栽培棚により、潅水作業において、品質が低下する恐れがあり作物に直接散水しない場合は、水槽に水や溶液を溜め、棚を回転させることで、作物の底面から均等に灌水させることができるので、品質の良い作物を栽培するのに効果がある。【００１２】本考案の潅水装置により、棚を回転させながら直接培地や作物に潅水することができる。
栽培棚の上や栽培棚のチェーンの内側に散水管を設け、棚を回転させながら潅水すると、棚に載せた培地や作物にまんべんなく均一に灌水することができる。
したがって、手間をかけずに均一な品質の作物を栽培することができるため、コストの低減と作物の品質を向上させることができる。
【図面の簡単な説明】
【００１３】
【図１】本考案の栽培棚の一例の右側面図
【図２】本考案の栽培棚の一例の正面図
【図３】本考案の栽培棚の一例の平面図
【図４】散水管の一例の簡単な斜視図
【符号の説明】
【００１４】１  フレーム
２  棚
３  チェーン
４  モーター
５  駆動用チェーン
６  歯車
７  棚を懸架するピン
８  水槽
９  スイッチ
１０  軸
１１  散水管支持柱
１２  散水管
１３  散水口
１４  散布される液体
0003182906.tif 000003
【図１】
0003182906.tif 000004
【図２】
0003182906.tif 000005
【図３】
0003182906.tif 000006
【図４】
0003182906.tif 000007
(57)【要約】      （修正有）【課題】液体糊の排出量を制御できる液体糊専用ボトルの交換用中蓋を提供する。【解決手段】液体糊のチューブボトル専用の交換式中蓋であって、直径１．６ｍｍの流量制御穴を空けた物で糊の排出される量を制御し、薄く均一に塗布出来る様にする。【選択図】図１
0003182908.tif 000002
【実用新案登録請求の範囲】
【請求項１】
液体糊のチューブボトル専用の交換式中蓋であって、直径１．６ｍｍの流量制御穴を空けた物で糊の排出される量を制御し、薄く均一に塗布出来る様にする物である。
【考案の詳細な説明】
【考案の詳細な説明】
【技術分野】
【０００１】  この考案は、液体のり専用ボトルの交換用中蓋である。
【背景技術】
【０００２】  これまでの中蓋は、中の糊が漏れ出したり固まらない様にする為の物であった。
【考案が解決しようとする課題】
【０００３】  従来の事務のりには次の様な課題があった。
（イ）塗布時の糊の排出量が多すぎてしまい、塗布しづらい。
（ロ）塗布量が多いと短時間で乾燥しない。
（ハ）最近はテープのりが主流になっているが単価が高く、使える量は少ない。
【課題を解決する為の手段】
【０００４】  以上の課題を解決する為に、液体糊の排出量を制御する必要がある。
【考案を実施するための形態】
【０００５】  直径１．６ｍｍの流量制御穴を開けた中蓋を装着して使う。
【考案の効果】
【０００６】  従来の塗布体を使いながら、糊の排出量がこれまでの５０分の１程度に抑えられる為、均一に薄く塗る事が出来、事務作業の効率化を図る事が出来る上、糊の使用量を抑える事で事務経費削減に繋がる。また、単価の安い液体のりを組み合わせる事で、事務経費節減の効果は大きくなる。
【図面の簡単な説明】
【図１】  中蓋の概念図である。
【符号の説明】  （１）流量制御穴・直径１．６ｍｍ
【図１】
0003182908.tif 000003
(57)【要約】      （修正有）【課題】柔軟性のある素材で製作し、携帯収納が容易で、かつ壁等に繰り返し張り付け可能に構成された吸着可能の痕跡無し無毒環境保護白板を提供する。【解決手段】壁に固定する白板から、コロイド層３に張り付いて基材４を剥離して、剥離したものを保管し、その後、コロイド層３で、壁に張り付けて固定するだけで、平滑層１に、書くことができる。また、平滑層１とコロイド層３との間に、磁石層２が設けられ、平滑層１に、金属製のものが吸着され、上記平滑層１に書かれたものは、一般の白板消しで消すことができ、また、布やスポンジで、消すことができる。使用した後、コロイド層３を、壁から剥離して、先に剥離された基材４を、改めてコロイド層３に張り付くと、コロイド層３と基材４とが、元の様子に回復される。【選択図】図１
0003182935.tif 000002
【実用新案登録請求の範囲】
【請求項１】
柔軟性のある材質からなり、表面が平滑面で、白板筆で書くことができる平滑層と、
柔軟性を有する磁石材質からなり、平滑層の底面に張り付かれる磁石層と、
磁石層の底面に付着され、重複粘着できる粘着層であるコロイド層と、
柔軟性を有する材質からなり、コロイド層に張り付かれ、繰り返して、上記コロイド層に張り付くことができ、また、上記コロイド層から剥離できる基材と、
が含有される、
ことを特徴とする吸着可能の痕跡無しの無毒環境保護白板。
【考案の詳細な説明】
【技術分野】
【０００１】
本考案は、痕跡無しの無毒環境保護白板に関し、特に、コロイドと磁石層を有する柔軟性白板で、携帯便利や収納簡単、重複に貼り付けて使用でき、また、磁性吸着できる新規構成に関する。
【背景技術】
【０００２】
既存の市販白板の構成は、固定式と柔軟式とがあり、白板の構成自身は、異なる場所やニーズに応じて、調整や携帯及び収納できるが、上記従来の柔軟式白板の構成は、所定の箇所に設置して、繰り返して装着するために、後付に、定位構成を追加して固定するしかできなく、また、従来の白板の磁性吸着を有しないため、実用的ではない。
【０００３】
本考案者は、上記欠点を解消するため、慎重に研究し、また、学理を活用して、有効に上記欠点を解消でき、設計が合理である本考案を提案する。
【考案の概要】
【考案が解決しようとする課題】
【０００４】
本考案は、1、コロイド層を有して、重複に張り付いて定位することができ、2、磁石層を有し、金属製のものを吸着でき、3、使用ニーズに応じて、現場へ持ち歩くことができ、機動性が高く、4、張り付けることや隔離することができるため、所定の位置に、設置する操作が、非常に便利であるなどの利点を得る吸着可能の痕跡無しの無毒環境保護白板を提供する。
【課題を解決するための手段】
【０００５】
請求項１の考案は、柔軟性のある材質からなり、表面が平滑面で、白板筆で書くことができる平滑層と、柔軟性を有する磁石材質からなり、平滑層の底面に張り付かれる磁石層と、磁石層の底面に付着され、重複粘着できる粘着層であるコロイド層と、柔軟性を有する材質からなり、コロイド層に張り付かれ、繰り返して、上記コロイド層に張り付くことができ、また、上記コロイド層から剥離できる基材と、が含有される、ことを特徴とする吸着可能の痕跡無しの無毒環境保護白板。
【０００６】
以下、図面を参照しながら、本考案の特徴や技術内容について、詳しく説明するが、それらの図面等は、参考や説明のためであり、本考案は、それによって制限されることが無い。
【考案を実施するための形態】
【０００７】
図１と図２のように、本考案に係る実施例は、柔軟性のある材質からなり、表面が平滑面で、白板筆で書くことができる平滑層1柔軟性を有する磁石材質からなり、平滑層1の底面に張り付かれる磁石層2と、磁石層2の底面に付着され、重複粘着できる粘着層であるコロイド層3と、柔軟性を有する材質からなり、コロイド層3に張り付かれ、繰り返して、上記コロイド層3に張り付くことができ、また、上記コロイド層3から剥離できる基材4と、が含有される。
【０００８】
図３と図４は、本考案の実施例の全体構成を壁に張り付く概念図で、壁5に固定する吸着可能の痕跡無し無毒環境保護白板から、コロイド層3に張り付いて基材4を剥離して、剥離したものを保管し、その後、コロイド層3で、壁5に張り付いて固定するだけで、、平滑層1に、書くことができ、また、平滑層1とコロイド層3との間に、磁石層2が設けられ、平滑層1に、金属製のものが吸着され、上記平滑層1に書かれたものは、一般の白板消しで消すことができ、また、布やスポンジで、消すことができ、使用した後、コロイド層3を、壁5から剥離して、先に剥離された基材4を、改めてコロイド層3に張り付くと、コロイド層3と基材2とが、元の様子に回復される。
【０００９】
そのため、本考案は、より進歩的かつより実用的で、法に従って実用新案登録請求を出願する。
【００１０】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００１１】
【図１】本考案の一つの実施例の全体構成外観概念図
【図２】本考案の一つの実施例の全体構成断面概念図
【図３】本考案の一つの実施例の全体構成を壁に張り付く状態の概念図(一)
【図４】本考案の一つの実施例の全体構成を壁に張り付く状態の概念図(二)
【符号の説明】
【００１２】
1  平滑層
2  磁石層
3  コロイド層
4  基材
5  壁
【図１】
0003182935.tif 000003
【図２】
0003182935.tif 000004
【図３】
0003182935.tif 000005
【図４】
0003182935.tif 000006